(57)【要約】【課題】駆動源によって移動するステージ上に紙葉を積層載置し、そのステージの押圧力によって紙葉を分離部に配置したピックアップローラに押圧して紙葉を分離給送する紙葉類分離給送構造においては、厚手の紙等の硬くてカール癖が直りにくいような紙葉においては、それが谷方向にカールしていると、分離部において、紙葉の左右両端が上側のシートガイドに当接して、ピックアップローラに紙葉が圧接しないことがあり、その場合、分離動作が行われないことになる。【解決手段】ピックアップローラを複数とし、それらピックアップローラを軸方向に移動可能に設けたことを特徴とする。【選択図】        図１
2004238132.tif 000002
【特許請求の範囲】
【請求項１】
駆動源によって移動するステージ上に紙葉類を積層載置し、そのステージの押圧力によって紙葉類を分離部に配置したピックアップローラに押圧して紙葉類を分離給送する紙葉類分離給送構造において、
ピックアップローラを複数とし、それらのピックアップローラを軸方向に移動可能に設けたことを特徴とする紙葉類分離給送構造。
【請求項２】
請求項１において、上記ピックアップローラは、紙葉類分離給送時に該紙葉類に当接する大径部と、該大径部よりも半径の小さい小径部とが交互に形成された状態で外形を構成すると共に、上記複数のピックアップローラは、異なるピックアップローラ間において、上記大径部同志が対向することがない状態で同軸上に配置されることを特徴とする紙葉類分離給送構造。
【請求項３】
駆動源によって移動するステージ上に紙葉類を積層載置し、そのステージの押圧力によって紙葉類を分離部に配置したピックアップローラに押圧して紙葉類を分離給送する紙葉類分離給送構造において、
上記ステージ上に載置された紙葉類の端面が当接する位置に回転自在に配置されると共に、上記ステージに連結され、該ステージの移動に連動するベルトを設けたことを特徴とする紙葉類分離給送構造。
【発明の詳細な説明】
【０００１】
【発明の属する技術分野】
本発明は、紙葉類処理装置におけるステージ上に載置されている紙葉類の分離給送構造に関する。
【０００２】
【従来の技術】
一般に紙葉類処理装置におけるステージ上に載置されている紙葉類の分離給送構造は図７に示すような構造となっている。
図において、１は積層載置された紙葉である。２はこのような紙葉１を処理装置に給送するために排出方向が下がるように斜めに配置されたステージであり、リンク３によって移動可能に支持され、圧縮スプリング等の駆動源４によって移動する（例えば、特開平１１ー５６３９号）。
【０００３】
５は分離部、６はこの分離部に設けたピックアップローラ、７は分離部上側のシートガイド、８は分離部下側のシートガイド、９は分離ゲートローラ（フィードローラ）、１０は分離ゲートローラ（リバースローラ）、１１は上記分離部５のピックアップローラ６と分離ゲートローラ９を駆動するモータ、１２は搬送ローラ、１３はこれら搬送ローラ１２を駆動するモータ、１４はプレッシャーローラ、１５は搬送される紙葉類１を検知するセンサである。
【０００４】
このような構成によると、その分離給送動作は、モータ１１を駆動することでピックアップローラ６および分離ゲートローラ９が回転し、ピックアップローラ６に圧接された紙葉１が矢印方向に移動する。
分離ゲートローラ９、１０で形成された分離ゲートにより紙葉１は１枚に分離されて搬送される。
【０００５】
このとき、搬送ローラ１２は、モータ１３によって回転しており、分離された紙葉類１によってセンサ１５はＯＮになり、この信号によりモータ１１を停止する。これによって、分離した次の紙葉１は、ステージ２上から繰り出されることなく、分離した紙葉１は搬送路上を搬送され、以降の処理に移行する。
【０００６】
【特許文献１】
特開平１１ー００５６３９号公報
【０００７】
【発明が解決しようとする課題】
このような従来技術によると、感熱紙、二重紙さらには厚手の紙等の硬くてカール癖が直りにくいような紙葉においては、それが谷方向にカールしていると、分離部において、図８に示す如く、紙葉１の左右両端が上側のシートガイド７に当接して、ピックアップローラ６に紙葉１が圧接しないことがあり、その場合、分離給送動作が行われないことになる。
【０００８】
また、ステージが排出方向に斜めに配置されている場合、その上に積層載置してセットされた紙葉は、自身の重さで下側のシートガイドに押し付けられることになり、そのためにステージの動作に対して摩擦力が発生する。その結果、この摩擦力が、ステージの紙葉をピックアップローラに押圧する力を不安定にし、紙葉分離給送不良を起こす原因となる。
【０００９】
【課題を解決するための手段】
そこで、本発明は、駆動源によって移動するステージ上に紙葉を積層載置し、そのステージの押圧力によって紙葉を分離部に配置したピックアップローラに押圧して紙葉を分離給送する紙葉類分離構造において、ピックアップローラを複数とし、それらピックアップローラを軸方向に移動可能に設けたことを特徴とする。
【００１０】
さらに、ピックアップローラを２個とし、そのそれぞれのピックアップローラの円周方向に角度が等分に小径部と大径部を交互に形成し、両ピックアップローラの小径部と大径部の位相をずらして配置したことを特徴とする。
また他の発明として、駆動源によって移動するステージ上に紙葉を積層載置し、そのステージの押圧力によって紙葉を分離部に配置したピックアップローラに押圧して紙葉を分離給送する紙葉類分離構造において、分離部下側のシートガイドに沿って配置した二つのプーリ間に設けた無端状のベルトをステージの移動に連動するように、ベルトの所定箇所とステージとを連結し、ステージ上に積層載置した紙葉の端面をこのベルトに当接させたことを特徴とする。
【００１１】
【発明の実施の形態】
以下に本発明の実施の形態例を図面を用いて説明する。
第１実施の形態例
図１および図２は作用状態を示す要部拡大説明図である。なお、以下の説明において、上記従来技術の説明と同様の部位は同一の符号を用いて説明する。
【００１２】
図において、２は紙葉１を積層させて載置するステージである。このステージは給送方向に傾いて設置したものでもよく、また傾いて設置されたものでなくてもよい。７は分離部上側のシートガイドである。
２０はピックアップローラの駆動シャフトであり、駆動用ギヤ２１が取り付けてある。
【００１３】
この駆動シャフト２０には軸受け２２とワンウェイクラッチ２３を介してローラスリーブ２４が取り付けてあり、このローラスリーブ２４の両端にはボス２５が形成してある。
２６ａ、２６ｂはこのローラスリーブ２４に軸方向に移動可能に取り付けたピックアップローラであり、従来のピックアップローラと同様に弾性素材でできており、ローラスリーブ２４の任意の位置に移動させて用いることができる。
【００１４】
なお、上記の説明ではピックアップローラを２個としたが、２個に限らずそれ以上いくつでもよい。
なお、装置のその他の構造は上記従来技術で説明した構造と同様である。
以下に、上記構成による紙葉１をステージから繰り出す動作である分離給送の作用を説明する。
【００１５】
図１に示す如く、ステージ２にセットされる紙葉１が自然状態で谷方向にカールしている場合を説明する。
この場合には、２個のピックアップローラ２６ａ、２６ｂの間隔をあけた状態にして紙葉１を幅広く押し付けることによって、紙葉１はピックアップローラ２６ａ、２６ｂに圧接され、これによってカールしている部分ステージ２方向へ押し付けられて紙葉１の端部は分離部上側のシートガイド７に当たることがなくなり、駆動源４によるステージ２の押し付け力が損失なくピックアップローラ２６ａ、２６ｂに伝わることになる。これによって、良好なピックアップ力を得て確実に分離給送することができる。
【００１６】
分離給送後は上記した従来技術と同様に搬送路上を搬送され、以降の処理に移行する。
つぎに、図２に示す如く、ステージ２にセットされる紙葉１が自然状態で山方向にカールしている場合を説明する。
この場合には、２個のピックアップローラ２６ａ、２６ｂの間隔を閉じるか狭くしてカールしている山の頂上もしくはそれ付近にピックアップローラ２６ａ、２６ｂを押し付けることによって、紙葉１はカールしている部分がピックアップローラ２６ａ、２６ｂに圧接され、ステージ２の押し付け力が損失なくピックアップローラ２６ａ、２６ｂに伝わることになる。これによって、良好なピックアップ力を得て確実に分離給送することができる。
【００１７】
このように本実施の形態例によると、２個のピックアップローラをローラスリーブの任意の位置に移動させて紙葉を押し付けるようにしたことにより、自然状態でカールしている紙葉を分離給送する場合に紙葉への圧接力を確保することができることになる。その結果、カールが発生している紙葉であっても、ステージから確実に分離給送することができる。
【００１８】
第２実施の形態例
図３は要部拡大説明図、図４は２個のピックアップローラの側面説明図、図５は２個のピックアップローラの位相の説明図である。なお、以下の説明において、上記従来技術および第１実施の形態例の説明と同様の部位は同一の符号を用いて説明する。
【００１９】
２７ａ、２７ｂはピックアップローラであり、それぞれのピックアップローラは、上記第１実施の形態例のピックアップローラと同様のローラスリーブ２４に摺動可能に取り付けたものであり、紙葉分離給送時に紙葉１に当接する大径部２７２と、該大径部２７２よりも半径の小さい小径部２７１とが交互に等分されて形成された状態で外形を構成している。そして、ピックアップローラ２７ａの大径部２７２とピックアップローラ２７ｂの大径部２７２とが図５に示す如く、側面から見て重ならない（対向することがない）ように丁度ずれた位置となるように、すなわち、紙葉分離給送時に異なるピックアップローラ間において、それぞれの大径部２７２が同時に紙葉１に当接することがないように、位相をずらしてピックアップローラ２７ａとピックアップローラ２７ｂとはローラスリーブ２４に配置されている。
【００２０】
なお、本実施の形態例では小径部２７１と大径部２７２とが２箇所となっているが、必ずしも２箇所でなくてもよく、両方のピックアップローラ２７ａ、２７ｂに同様に形成されていれば何箇所でもよい。また、大径部２７２は紙葉との接触面であるために両ピックアップローラ２７ａ、２７ｂの大径部２７２の径は同一でなくてはならないが、小径部２７１は単に切り欠き部であって紙葉には接触しない部分となるためにその径の精度は要求されない。しかし、上記の如く、小径部２７１と大径部２７２との配置は円周方向に角度が交互に等分であることが要求される。
【００２１】
なお、装置のその他の構造は上記従来技術で説明した構造と同様である。
以下に、上記構成による分離給送の作用を説明する。
このピックアップローラ２７ａ、２７ｂにおいても、上記第１実施の形態例と同様に、山方向のカールおよび谷方向のカールに応じてピックアップローラ２７ａ、２７ｂの位置を移動させることは同様である。
【００２２】
そこで、ピックアップローラ２７ａ、２７ｂが回転すると、ある角度における互いのピックアップローラ２７ａ、２７ｂの径に差があるために、紙葉１に対する左右の圧接力が異なり、圧接力側（大径部２７２側）はピックアップ力があり、紙葉１はそのピックアップローラ側を先行しようとする動きとなるが、ある角度の回転が経過すると、今度は逆に反対側のピックアップローラが圧接力側（大径部２７２側）となって先行しようとする動きになり、互いにその動作を繰り返すことになる。その結果、紙葉１は左右の傾きを補正しつつ確実に分離給送されることになる。
【００２３】
分離給送後は上記した従来技術と同様に搬送路上を搬送され、以降の処理に移行する。
このようなピックアップローラを用いると、カール状態が左右で不均一な場合であっても、左右が同径のピックアップローラによって生ずるおそれのある一方的な片当たりによって紙葉１が斜行された状態で分離給送されるようなことがなくなる。
【００２４】
このように２個のピックアップローラの形状を角度範囲毎に径を変え、位相をずらし配置することによって、紙葉のカール状態が左右不均一であっても、斜行された状態で分離給送されることがなく、安定した分離給送が行えることになる。
第３実施の形態例
図６は要部拡大説明図である。なお、以下の説明において、上記従来技術の説明と同様の部位は同一の符号を用いて説明する。
【００２５】
図において、２８は分離部５に設けたプーリであり、そのプーリの一部が分離部下側のシートガイド８よりステージ２側に入り込んで位置している。
２９は上記プーリ２８と同様にその一部が分離部下側のシートガイド８よりステージ２側に入り込んで位置するように配置したプーリである。
３０は上記プーリ２８とプーリ２９間に掛けた無端状のベルトであり、そのベルト３０のステージ２側の所定箇所とステージ２とを連結部材３１によって連結し、ステージ２の移動に伴ってベルト３０もステージと同方向に移動（回転）するようになっている。
【００２６】
ステージ２は排出方向が下がるように斜めに配置されており、積載されている紙葉１は排出方向にずれてその端面（本実施の形態においては下端面）は常にベルト３０面に当接する。
そこで、紙葉１の供給に従ってステージ２はピックアップローラ６方向へと移動し、それに伴ってベルト３０もピックアップローラ６方向へと移動し、それによって紙葉１の分離部下側のシートガイド８側の端部も円滑にピックアップローラ６側への作用力を受けることになる。
【００２７】
なお、上記プーリ２８とプーリ２９は分離部下側のシートガイド８側の一か所に設けた場合で説明したが、間隔をあけて２か所もしくはそれ以上設置してもよい。また、プーリ２８とプーリ２９およびベルト３０の幅も任意であるが、一か所であるときはステージ２の幅方向の中央に配置し、しかも幅が比較的広いほうが安定した作用が得られる。
【００２８】
また、上記説明は、ピックアップローラ６は従来と同様のものを示したが、そのようなピックアップローラ６に限るものではなく上記実施の形態例１もしくは実施の形態例２に示した複数構造のピックアップローラでもよい。
なお、装置のその他の構造は上記従来技術で説明した構造と同様である。
以下に、上記構成による分離給送の作用を説明する。
【００２９】
ステージ２上に積層された紙葉１が順次分離給送されると、その分ステージ２も駆動源４によって移動して紙葉１は常にピックアップローラ６に圧接している。  このとき、ステージ２と連結したベルト３０に紙葉１の端面が当接しているために、紙葉１の端部はピックアップローラ６側への作用力を受けることになり、従来のような紙葉１の端部の分離部下側のシートガイド８面に対する摩擦の影響を受けることなくピックアップローラ６にステージ２の押圧力が伝わることになる。
【００３０】
このような構造のステージ２と連結したベルト３０を用いることにより、分離部において、ステージ２に積層された紙葉１の端部は分離部下側のシートガイド８面に触れないために摩擦の影響を受けず、ステージ２の押圧力をそのままピックアップローラ６に伝えることができ、環境条件、媒体条件等に変化があっても紙葉１の分離給送不良が発生しない安定した分離給送を行うことができる。
【００３１】
【発明の効果】
以上詳細に説明した本発明によると、複数のピックアップローラの間隔を適宜に変えて紙葉類に当接させることができるようにしたことにより、カール癖のある紙葉類であっても積層載置したステージから確実に分離給送することができる効果を有する。
【００３２】
また、ステージの移動に同調するベルトにステージ上に載置した紙葉類の端面を当接させるようにしたことにより、ステージの押圧力が確実にピックアップローラに伝わることになり、紙葉類の分離給送不良が発生しない安定した分離給送を行うことができる効果を有する。
【図面の簡単な説明】
【図１】第１実施の形態例の作用状態を示す要部拡大説明図
【図２】第１実施の形態例の作用状態を示す要部拡大説明図
【図３】第２実施の形態例を示す要部拡大説明図
【図４】２個のピックアップローラの側面説明図
【図５】２個のピックアップローラの位相の説明図
【図６】第３実施の形態例を示す要部拡大説明図
【図７】従来例を示す説明図
【図８】作用状態の説明図
【符号の説明】
１  紙葉
２  ステージ
３  リンク
４  駆動源
５  分離部
７  分離部上側のシートガイド
８  分離部下側のシートガイド
９  分離ゲートローラ
１０  分離ゲートローラ
１１  モータ
１２  搬送ローラ
１３  モータ
１４  プレッシャーローラ
１５  センサ
２０  駆動シャフト
２１  駆動用ギヤ２１
２２  軸受け
２３  ワンウェイクラッチ
２４  ローラスリーブ
２５  ボス
２６ａ、２６ｂ  ピックアップローラ
２７ａ、２７ｂ  ピックアップローラ
２７１  小径部
２７２  大径部
２８、２９  プーリ
３０  ベルト
３１  連結部材
【図１】
2004238132.tif 000003
【図２】
2004238132.tif 000004
【図３】
2004238132.tif 000005
【図４】
2004238132.tif 000006
【図５】
2004238132.tif 000007
【図６】
2004238132.tif 000008
【図７】
2004238132.tif 000009
【図８】
2004238132.tif 000010